(57)【特許請求の範囲】
【請求項１】
胴部を構成する主パネルの上部に下向き円弧状の罫線を介して略同じ形状をした２つの木の葉形状の折曲げパネルが反対向きの状態で設けられ、これらの折曲げパネルが向かい合ったところに開口用の切欠が形成されてなるブランクからなり、該ブランクを巻き回して主パネルにより胴部を形成し、その胴部の下部に底板を巻き締めして底部を形成してなる紙カップであって、折曲げパネルを罫線で順次折り曲げることによって二方に突出し部分を有する状態で蓋部が形成されるとともに、その一つの突出し部分に開口用の切欠によって飲み口となる開口が形成されることを特徴とする紙カップ。
【請求項２】
胴部を構成する主パネルの上部に下向き円弧状の罫線を介して略同じ形状をした３つの円盤形状の折曲げパネルが順に設けられ、各折曲げパネルの外側縁の中央にはＶ字状をした係止用の切欠が形成されており、これらの折曲げパネルのうちの２つの折曲げパネルが向かい合ったところに開口用の切欠が形成されてなるブランクからなり、該ブランクを巻き回して主パネルにより胴部を形成し、その胴部の下部に底板を巻き締めして底部を形成してなる紙カップであって、折曲げパネルを罫線でそれぞれ折り曲げ、このときに上になる２つの折曲げパネルの係止用切欠を引っ掛けることによって三方に突出し部分を有する状態で蓋部が形成されるとともに、その一つの突出し部分に開口用の切欠によって飲み口となる開口が形成されることを特徴とする紙カップ。
【請求項３】
胴部を構成する主パネルの上部一方側に下向き円弧状の罫線を介して略同じ形状をした２つの山形状の折曲げパネルが反対向きに設けられ、上部他方側には直線状の罫線と下向き円弧状の罫線とからなる２本の罫線を介して１つの折曲げパネルが設けられ、２つの山形状の折曲げパネルが向かい合ったところに開口用の切欠が形成されてなるブランクからなり、該ブランクを巻き回して主パネルにより胴部を形成し、その胴部の下部に底板を巻き締めして底部を形成してなる紙カップであって、１つの折曲げパネルを２本の罫線で折り曲げてから、２つの山形状の折曲げパネルを罫線でそれぞれ折り曲げることによって三方に突出し部分を有する蓋部が形成されるともに、その一つの突出し部分に開口用の切欠によって飲み口となる開口が形成されることを特徴とする紙カップ。
【発明の詳細な説明】
【０００１】
【発明の属する技術分野】
本発明は、ジュース等の飲料を販売する際にその飲料を入れるのに用いられる紙カップに関する。
【０００２】
【従来の技術】
従来より、ファーストフード店、コンビニエンスストア等の店頭やイベント会場にてジュース等の飲料を販売する場合、紙カップを使用するのが一般的である。この時、持ち歩きながら飲んでも溢れないように、またゴミ等が入らないようにするため、飲料を入れた紙カップに樹脂製の成形蓋を被せるようにしている。そして、この成形蓋としては、ストローを差し込むための十文字状の切込を設けたタイプと、このような切込を設けていないタイプが使用されている。
【０００３】
【発明が解決しようとする課題】
上記したように、店頭にてジュース等の飲料を販売する場合、従来は紙カップに飲料を入れてから樹脂製の蓋を被せるようにしている。このため、紙カップと樹脂製の蓋の両方を用意しておく必要があり、また販売時に別々のものを合わせてセットしなければならない。また、Ｓサイズ、Ｍサイズ、Ｌサイズのように大きさの異なる紙カップを取り扱う場合、蓋もそれらに合わせて揃えなければならず、しかも組み合わせを間違えないようにする必要がある。さらに、ストロー孔のないタイプの蓋の場合、飲むときに一々蓋を外さなければならないといった煩わしさもある。
【０００４】
また、紙カップのみでは燃えるゴミとして廃棄できるが、樹脂製の成形蓋と一緒に廃棄すると環境に悪影響を及ぼす恐れがあるため、環境に配慮すれば、使用後に分別しなければならないという問題点もある。
【０００５】
本発明は、上記のような事情に鑑みてなされたものであり、その目的とするところは、樹脂性の蓋を使用せずに蓋部を形成でき、しかもそのまま中身を飲むことができる紙カップを提供することにある。
【０００６】
【課題を解決するための手段】
上記の目的を達成するため、本発明の紙カップは、胴部の上部に折曲げパネルが延設されており、その折曲げパネルを組み立てることによって突出し部分を有する状態で蓋部が形成されるとともに、その蓋部の突出し部分に飲み口となる開口が形成されることを特徴としている。
【０００７】
すなわち、本発明に係る第１のタイプの紙カップは、胴部を構成する主パネルの上部に下向き円弧状の罫線を介して略同じ形状をした２つの木の葉形状の折曲げパネルが反対向きの状態で設けられ、これらの折曲げパネルが向かい合ったところに開口用の切欠が形成されてなるブランクからなり、該ブランクを巻き回して主パネルにより胴部を形成し、その胴部の下部に底板を巻き締めして底部を形成してなる紙カップであって、折曲げパネルを罫線で順次折り曲げることによって二方に突出し部分を有する状態で蓋部が形成されるとともに、その一つの突出し部分に開口用の切欠によって飲み口となる開口が形成されることを特徴とする。
【０００８】
また、本発明に係る第２のタイプの紙カップは、胴部を構成する主パネルの上部に下向き円弧状の罫線を介して略同じ形状をした３つの円盤形状の折曲げパネルが順に設けられ、各折曲げパネルの外側縁の中央にはＶ字状をした係止用の切欠が形成されており、これらの折曲げパネルのうちの２つの折曲げパネルが向かい合ったところに開口用の切欠が形成されてなるブランクからなり、該ブランクを巻き回して主パネルにより胴部を形成し、その胴部の下部に底板を巻き締めして底部を形成してなる紙カップであって、折曲げパネルを罫線でそれぞれ折り曲げ、このときに上になる２つの折曲げパネルの係止用切欠を引っ掛けることによって三方に突出し部分を有する状態で蓋部が形成されるとともに、その一つの突出し部分に開口用の切欠によって飲み口となる開口が形成されることを特徴とする。
【０００９】
また、本発明に係る第２のタイプの紙カップは、胴部を構成する主パネルの上部一方側に下向き円弧状の罫線を介して略同じ形状をした２つの山形状の折曲げパネルが反対向きに設けられ、上部他方側には直線状の罫線と下向き円弧状の罫線とからなる２本の罫線を介して１つの折曲げパネルが設けられ、２つの山形状の折曲げパネルが向かい合ったところに開口用の切欠が形成されてなるブランクからなり、該ブランクを巻き回して主パネルにより胴部を形成し、その胴部の下部に底板を巻き締めして底部を形成してなる紙カップであって、１つの折曲げパネルを２本の罫線で折り曲げてから、２つの山形状の折曲げパネルを罫線でそれぞれ折り曲げることによって三方に突出し部分を有する蓋部が形成されるともに、その一つの突出し部分に開口用の切欠によって飲み口となる開口が形成されることを特徴とする。
【００１０】
【発明の実施の形態】
次に、いくつかの具体例を挙げ、その図面を参照しながら本発明の実施の形態を説明する。
【００１１】
図１は本発明に係る第１のタイプの紙カップを示す斜視図であり、図２はこの紙カップを形成するためのブランクを示す展開図である。
【００１２】
図２に示すように、このブランク２０は、図１に示す紙カップ１０の胴部１１を構成する主パネル２１を有し、その主パネル２１の上部に下向き円弧状の罫線ａ，ｂを介して略同じ形状をした２つの木の葉形状の折曲げパネル２２，２３が反対向きに設けられた形状をしている。そして、これらの折曲げパネル２２，２３が向かい合ったところには長円状の切欠２４が形成されている。また、主パネル２１の一方の側辺には貼着パネル２５が設けられている。
【００１３】
このブランク２０は、通常の紙カップと同様に、カップ成形機によりカップ状に組み立てられる。具体的には、ブランク２０を巻き回し、貼着パネル２５を反対側の側辺裏面に糊付けして上部が開いた胴部１１を形成し、その胴部１１の下部に底板を巻き締めして底部を形成する。そして、この上部が開いたカップ形状のままスタックして店頭に運ばれ、飲料の販売時に際し、その中に飲料を入れてから、図１に示すように上部が組み立てられる。
【００１４】
すなわち、胴部１１に対して折曲げパネル２２，２３を罫線ａ，ｂで順次折り曲げて蓋部１２を形成する。このように組み立てると、図１に示すように、二方に突出し部分を有する蓋部１２が形成され、その一つの突出し部分には、切欠２４によって開口１３が形成される。したがって、この開口１３を飲み口として中の飲料を飲むことができる。
【００１５】
図３は本発明に係る第２のタイプの紙カップを示す斜視図であり、図４はこの紙カップを形成するためのブランクを示す展開図である。
【００１６】
図４に示すように、このブランク４０は、図３に示す紙カップ３０の胴部３１を構成する主パネル４１を有し、その主パネル４１の上部に下向き円弧状の罫線ａ，ｂ，ｃを介して略同じ形状をした３つの円盤形状の折曲げパネル４２，４３，４４が順に設けられた形状をしている。そして、これらの折曲げパネル４２，４３，４４の外側縁の中央にはＶ字状の小さな切欠αが形成されており、またこれらの折曲げパネルのうち２つの折曲げパネル４２，４３が向かい合ったところには鼓状の切欠４５が形成されている。また、主パネル４１の一方の側辺には貼着パネル４６が設けられている。
【００１７】
このブランク４０は、通常の紙カップと同様に、カップ成形機によりカップ状に組み立てられる。具体的には、ブランク４０を巻き回し、貼着パネル４６を反対側の側辺裏面に糊付けして上部が開いた胴部３１を形成し、その胴部３１の下部に底板を巻き締めして底部を形成する。そして、この上部が開いたカップ形状のままスタックして店頭に運ばれ、飲料の販売時に際し、その中に飲料を入れてから、図３に示すように上部が組み立てられる。
【００１８】
すなわち、胴部３１に対して折曲げパネル４２，４３，４４を罫線ａ，ｂ，ｃでそれぞれ折り曲げて蓋部３２を形成する。この時、上になる２つの折曲げパネルの切欠αを引っ掛けるようにする。このように組み立てると、図３に示すように、三方に突出し部分を有する蓋部３２が形成され、その一つの突出し部分には、切欠４５によって開口３３が形成される。したがって、この開口３３を飲み口として中の飲料を飲むことができる。
【００１９】
図５は本発明に係る第３のタイプの紙カップを示す斜視図であり、図６はこの紙カップを形成するためのブランクを示す展開図である。
【００２０】
図６に示すように、このブランク６０は、図５に示す紙カップ５０の胴部５１を構成する主パネル６１を有し、その主パネル６１の上部左側に下向き円弧状の罫線ａ，ｂを介して略同じ形状をした２つの山形状の折曲げパネル６２，６３，が反対向きに設けられ、上部右側には２本の罫線（直線状の罫線ｃと円弧状の罫線ｄ）を介して折曲げパネル６４が設けられた形状をしている。そして、これらの折曲げパネルのうち２つの折曲げパネル６２，６３が向かい合ったところには鼓状の切欠６５が形成されている。また、主パネル６１の一方の側辺には貼着パネル６６が設けられている。
【００２１】
このブランク６０は、通常の紙カップと同様に、カップ成形機によりカップ状に組み立てられる。具体的には、ブランク６０を巻き回し、貼着パネル６６を反対側の側辺裏面に糊付けして上部が開いた胴部５１を形成し、その胴部５１の下部に底板を巻き締めして底部を形成する。そして、この上部が開いたカップ形状のままスタックして店頭に運ばれ、飲料の販売時に際し、その中に飲料を入れてから、図５に示すように上部が組み立てられる。
【００２２】
すなわち、胴部５１に対して折曲げパネル６４を罫線ｃと罫線ｄで折り曲げてから、折曲げパネル６２，６３を罫線ａ，ｂでそれぞれ折り曲げて蓋部５２を形成する。このように組み立てると、図５に示すように、三方に突出し部分を有する蓋部５２が形成され、その一つの突出し部分には、切欠６５によって開口５３が形成される。したがって、この開口５３を飲み口として中の飲料を飲むことができる。
【００２３】
以上、本発明の実施の形態について詳細に説明してきたが、本発明による紙カップは、上記実施の形態に何ら限定されるものではなく、本発明の趣旨を逸脱しない範囲において種々の変更が可能であることは当然のことである。
【００２４】
【発明の効果】
本発明の紙カップは、胴部の上部に折曲げパネルが延設されており、その折曲げパネルを組み立てることによって突出し部分を有する状態で蓋部が形成されるとともに、その蓋部の突出し部分に飲み口となる開口が形成されることを特徴としているので、従来のように樹脂製の蓋を準備する必要がなく、飲料を入れてから上部を折り曲げるだけで蓋ができ、しかもその蓋の一部に形成される開口から中身をそのまま飲むことができる。
【図面の簡単な説明】
【図１】  本発明に係る第１のタイプの紙カップを示す斜視図である。
【図２】  図１の紙カップを形成するためのブランクを示す展開図である。
【図３】  本発明に係る第２のタイプの紙カップを示す斜視図である。
【図４】  図３の紙カップを形成するためのブランクを示す展開図である。
【図５】  本発明に係る第３のタイプの紙カップを示す斜視図である。
【図６】  図５の紙カップを形成するためのブランクを示す展開図である。
【符号の説明】
１０  紙カップ
１１  胴部
１２  蓋部
１３  開口
２０  ブランク
２１  主パネル
２２，２３  折曲げパネル
２４  切欠
２５  貼着パネル
３０  紙カップ
３１  胴部
３２  蓋部
３３  開口
４０  ブランク
４１  主パネル
４２，４３，４４  折曲げパネル
４５  切欠
４６  貼着パネル
５０  紙カップ
５１  胴部
５２  蓋部
５３  開口
６０  ブランク
６１  主パネル
６２，６３，６４  折曲げパネル
６５  切欠
６６  貼着パネル
【図１】
0004853603.tif 000002
【図２】
0004853603.tif 000003
【図３】
0004853603.tif 000004
【図４】
0004853603.tif 000005
【図５】
0004853603.tif 000006
【図６】
0004853603.tif 000007